(57)【要約】【課題】病院での混注業務における薬品のチェックは人手による作業が中心であり、作業者は非常に神経を使い、かつ疲れるものであった。【解決手段】物品を設置するトレイと情報処理装置を具備する物品設置システムであって、トレイは、複数の領域に区切られており、かつ各領域に設置された物品に関する情報である第一物品情報を読み込む物品情報読取部を具備し、情報処理装置は、画面上の複数に区切られた領域のうちの１以上の領域に物品の情報である第二物品情報を表示する物品情報表示部と、物品情報読取部が読み取ったトレイの各領域の第一物品情報が一定の条件を満たすか否かを判断する判断部と、判断部における判断結果を出力する判断結果出力部を具備する物品設置システムにより、間違いなく、かつ容易に薬品のチェックを行うことができる。【選択図】　図２
2004070803.tif 000002
【特許請求の範囲】
【請求項１】
物品を設置するトレイと情報処理装置を具備する物品設置システムであって、
前記トレイは、
複数の領域に区切られており、かつ各領域に設置された物品に関する情報である第一物品情報を読み込む物品情報読取部を具備し、
前記情報処理装置は、
画面上の複数に区切られた領域のうちの１以上の領域に物品の情報である第二物品情報を表示する物品情報表示部と、
前記物品情報読取部が読み取った前記トレイの各領域の第一物品情報が一定の条件を満たすか否かを判断する判断部と、
前記判断部における判断結果を出力する判断結果出力部を具備する
物品設置システム。
【請求項２】
前記判断部は、前記トレイの各領域の第一物品情報と、前記トレイの各領域に対応する画面上の各領域に表示されている第二物品情報が一定の関係があるか否かを判断する請求項１記載の物品設置システム。
【請求項３】
前記物品は薬品であり、
前記第一物品情報がトレイに設置されている薬品を識別する第一薬品識別子を含み、
前記第二物品情報が前記トレイの各領域に対応する画面上の各領域に表示されている薬品を識別する第二薬品識別子を含み、
前記判断部は、第一薬品識別子と第二薬品識別子が一致するか否かを判断する請求項２記載の物品設置システム。
【請求項４】
前記情報処理装置は、
前記第一物品情報を記録する第一物品情報記録部をさらに具備する請求項１から請求項３いずれか記載の物品設置システム。
【請求項５】
前記物品情報読取部は、ＲＦタグの情報を取得する請求項１から請求項４いずれか記載の物品設置システム。
【請求項６】
複数の領域に区切られたトレイと、
トレイの表面の画像を取得するカメラと、
情報処理装置を具備する物品設置システムであって、
前記情報処理装置は、
画面上の複数に区切られた領域のうちの１以上の領域に物品の情報である物品情報を表示する物品情報表示部と、
前記カメラが取得した画像を表示するトレイ画像表示部と、
前記画像を記録する指示を受け付ける指示受付部と、
前記指示受付部が指示を受け付けた場合に、前記トレイ画像表示部が表示している画像を記録する画像記録部
を有する物品設置システム。
【請求項７】
前記トレイ画像表示部の画面部分はタッチパネルで構成され、前記指示受付部は、前記トレイ画像表示部の画面部分のタッチパネルがタッチされることにより画像を記録する指示を受け付ける請求項６記載の物品設置システム。
【請求項８】
画面上の複数に区切られた領域のうちの１以上の領域に物品の情報である物品情報を表示する情報処理装置と、
前記複数の領域に対応するように区切られたトレイを具備する物品設置システムであって、
前記領域が九の領域である物品設置システム。
【請求項９】
画面上の複数に区切られた領域のうちの１以上の領域に物品の情報である物品情報を表示する情報処理装置と、
前記複数の領域に区切られたトレイを具備する物品設置システムであって、
画面上の着目している領域のサイズが他の１以上の領域のサイズと異なることを特徴とする物品設置システム。
【請求項１０】
物品を設置するトレイと情報処理装置を具備する物品設置システムであって、
前記トレイは、複数の領域に区切られており、
前記情報処理装置は、
画面上の複数に区切られた領域のうちの２以上の領域に２以上の第二物品情報を表示する物品情報表示部と、
前記物品情報表示部が表示する２以上の第二物品情報が示す２以上の物品が、一定の関係にあるか否かを判断する関係判断部と、
前記関係判断部の判断が一定の関係にあるとの判断の場合に、一定の関係にある旨を表示する関係情報表示部を具備する物品設置システム。
【請求項１１】
前記物品は薬品であり、
前記一定の関係は、２以上の薬品を混注する場合に配合変化が生じる関係である請求項１０記載の物品設置システム。
【請求項１２】
前記トレイは、
各領域に設置された物品に関する情報である第一物品情報を読み込む物品情報読取部をさらに具備し、
前記情報処理装置は、
前記物品情報読取部が読み取った前記トレイの各領域の第一物品情報が一定の条件を満たすか否かを判断する判断部と、
前記判断部における判断結果を出力する判断結果出力部をさらに具備する請求項１０または請求項１１記載の物品設置システム。
【請求項１３】
前記判断部は、前記トレイの各領域の第一物品情報と、前記トレイの各領域に対応する画面上の各領域に表示されている第二物品情報とが一定の関係があるか否かを判断する請求項１２記載の物品設置システム。
【請求項１４】
前記物品は薬品であり、
前記第一物品情報がトレイに設置されている薬品を識別する第一薬品識別子を含み、
前記第二物品情報が前記トレイの各領域に対応する画面上の各領域に表示されている薬品を識別する第二薬品識別子を含み、
前記判断部は、第一薬品識別子と第二薬品識別子が一致するか否かを判断する請求項１３記載の物品設置システム。
【請求項１５】
第二物品情報を保持しているサーバ装置をさらに有し、
前記情報処理装置は、
前記第二物品情報を取得するための情報である検索情報の入力を受け付ける検索情報受付部と、
前記検索情報に基づいて第二物品情報を前記サーバ装置から取得する物品情報取得部をさらに具備する請求項１から請求項１４いずれか記載の物品設置システム。
【請求項１６】
前記情報処理装置と前記トレイが機構的に接続されている請求項１から請求項１５いずれか記載の物品設置システム。
【請求項１７】
請求項１から請求項１６いずれか記載の物品設置システムを構成するトレイ。
【請求項１８】
請求項１から請求項１６いずれか記載の物品設置システムを構成する情報処理装置。
【発明の詳細な説明】
【０００１】
【発明の属する技術分野】
本発明は、情報処理装置から出力する情報が示す物品等を間違いなく選択するための物品設置システム等に関し、特に薬品を混注する業務を支援するシステム等に関するものである。
【０００２】
【従来の技術】
従来の技術として、タイル式のウィンドウシステムがある。このウィンドウシステムは、複数の情報をオーバーラップせずに区切られたウィンドウ領域に表示する。
【０００３】
また、従来の病院における混注業務は、看護婦等が注射箋を見ながら、一つ一つ注射薬を確認して、混注していた。
【０００４】
【発明が解決しようとする課題】
しかし、従来の混注業務を上記のウィンドウシステムによって支援しようとした場合、紙の注射箋と比較して、注射薬が図柄等で表示され、見やすくなるに過ぎない。上記の場合においても、混注業務における薬品のチェックは人手による作業が中心である。従って、作業者にとって、上記作業は非常に神経を使う作業であり、疲れる作業であった。また、万が一ではあるが、混注する注射薬の選択や混注を誤ることも考えられる。さらに、一人の作業者が多数の患者の注射薬の混注を行う場合は、なおさらである。
【０００５】
【課題を解決するための手段】
以上の課題を解決するために、本発明は、物品を設置するトレイと情報処理装置を具備する物品設置システムであって、トレイは、複数の領域に区切られており、かつ各領域に設置された物品に関する情報である第一物品情報を読み込む物品情報読取部を具備し、情報処理装置は、画面上の複数に区切られた領域のうちの１以上の領域に物品の情報である第二物品情報を表示する物品情報表示部と、物品情報読取部が読み取ったトレイの各領域の第一物品情報が一定の条件を満たすか否かを判断する判断部と、判断部における判断結果を出力する判断結果出力部を具備する物品設置システムであり、かかる物品設置システムにより、例えば、混注する注射薬の選択や混注を誤ることを防止できる。
【０００６】
また、複数の領域に区切られたトレイと、トレイの表面の画像を取得するカメラと、情報処理装置を具備する物品設置システムであって、情報処理装置は、画面上の複数に区切られた領域のうちの１以上の領域に物品の情報である物品情報を表示する物品情報表示部と、カメラが取得した画像を表示するトレイ画像表示部と、画像を記録する指示を受け付ける指示受付部と、指示受付部が指示を受け付けた場合に、トレイ画像表示部が表示している画像を記録する画像記録部を有する物品設置システムにより、例えば、複数の薬品の混注作業完了の記録を残すことができ、万が一の誤りの場合に事後対策が講じやすくなる。
【０００７】
さらに、物品を設置するトレイと情報処理装置を具備する物品設置システムであって、トレイは、複数の領域に区切られており、情報処理装置は、画面上の複数に区切られた領域のうちの２以上の領域に２以上の第二物品情報を表示する物品情報表示部と、物品情報表示部が表示する２以上の第二物品情報が示す２以上の物品が、一定の関係にあるか否かを判断する関係判断部と、関係判断部の判断が一定の関係にあるとの判断の場合に、一定の関係にある旨を表示する関係情報表示部を具備する物品設置システムにより、例えば、２以上の薬品を混注する場合に配合変化が生じる関係である場合に、それを警告し、適切な作業を行なわしめることができる。
【０００８】
【発明の実施の形態】
以下、物品設置システム等の実施形態について図面を参照して説明する。なお、実施の形態において同じ符号を付した構成要素は同様の動作を行うので、再度の説明を省略する場合がある。
【０００９】
（実施の形態１）
図１は、本発明における物品設置システムの概念図である。物品設置システムは、サーバ装置１１、情報処理装置１２、およびトレイ１３を有する。また、物品設置システムのブロック図を図２に示す。サーバ装置１１は、物品情報格納部１１０１、検索情報受信部１１０２、物品情報検索部１１０３、物品情報送信部１１０４を有する。情報処理装置１２は、検索情報受付部１２０１、検索情報送信部１２０２、物品情報取得部１２０３、物品情報表示部１２０４、判断部１２０５、判断結果出力部１２０６、第一物品情報記録部１２０７を有する。トレイ１３は、複数の領域に区切られており、各領域に物品情報読取部１３０１を有する。なお、トレイ１３は、９の領域に区切られていることが好適である。ここで扱う物品は、主として薬品（薬剤）であり、本物品設置システムは、複数の薬品を混注して、間違いなく患者に投与することを支援するシステムである。そして、混注する薬品は、９以下であることがほとんどである。１０以上もの薬剤を混ぜて患者に投与することは、非常に少ないので、トレイ１３は９の領域に区切られていることが好適なのである。
【００１０】
物品情報格納部１１０１は、物品に関する情報である第二物品情報を格納している。第二物品情報とは、物品に関する情報であれば良く、そのデータタイプやデータ構造などは問わない。物品とは、例えば、薬品である。第二物品情報とは、例えば、薬品を視覚的に示す図柄（アイコンや動画データなど）と薬品を識別する薬品識別子と薬品の量を示す情報（単位：ｍｌやｍｇやｇなど）を有する情報である。物品情報格納部１１０１は、不揮発性の記録媒体が好適であるが、揮発性の記録媒体でも良い。
【００１１】
検索情報受信部１１０２は、物品情報格納部１１０１に格納されている第二物品情報を検索するための情報である検索情報を情報処理装置１２から受信する。検索情報とは、例えば、ＳＱＬなどの検索式である。ＳＱＬとは、情報検索式を表現する標準的な言語である。また、検索情報は、例えば、第二物品情報を検索するキーとなる情報（物品の識別子）などである。検索情報受信部１１０２は、通常、無線または有線の通信手段で実現されるが、放送を受信する手段で実現されても良い。
【００１２】
物品情報検索部１１０３は、検索情報受信部１１０２で受信した検索情報に基づいて物品情報格納部１１０１を検索して、第二物品情報を取得する。物品情報検索部１１０３は、通常、ソフトウェアおよびＣＰＵ等により実現され得る。このソフトウェアは、通常、ＲＯＭ等に格納されている。
【００１３】
物品情報送信部１１０４は、物品情報検索部１１０３で検索した第二物品情報を情報処理装置１２に送信する。物品情報送信部１１０４は、通常、無線または有線の通信手段で実現されるが、放送手段で実現されても良い。
【００１４】
検索情報受付部１２０１は、検索情報の入力を受け付ける。検索情報受付部１２０１の実現手段は、検索情報の受付方法に基づいて、種々考えられる。例えば、検索情報受付部１２０１は、バーコードリーダーで実現される。また、検索情報受付部１２０１は、例えば、キーボードとそのドライバーソフト等で実現され得る。
【００１５】
検索情報送信部１２０２は、検索情報受付部１２０１で受け付けた検索情報をサーバ装置１１に送信する。検索情報送信部１２０２は、通常、無線または有線の通信手段で実現されるが、放送手段で実現されても良い。
【００１６】
物品情報取得部１２０３は、物品情報送信部１１０４が送信した第二物品情報を受信する。物品情報取得部１２０３は、通常、無線または有線の通信手段で実現されるが、放送を受信する手段で実現されても良い。
【００１７】
物品情報表示部１２０４は、物品情報取得部１２０３が受信した第二物品情報を表示する。物品情報表示部１２０４は、画面上の複数に区切られた領域のうちの１以上の領域に物品の情報である第二物品情報を表示する。物品情報表示部１２０４が第二物品情報を表示する領域は、通常、矩形であるが、他の形状、例えば、楕円形などでも良い。物品情報表示部１２０４は、ディスプレイおよびそのドライバーソフト等で実現され得る。また、物品情報表示部１２０４は、通常、ウィンドウシステムを実現するソフトウェアを含む。
【００１８】
判断部１２０５は、トレイが具備する物品情報読取部１３０１が読み取ったトレイの各領域の第一物品情報が一定の条件を満たすか否かを判断する。また、判断部１２０５は、トレイの各領域の第一物品情報と、トレイの各領域に対応する画面上の各領域に表示されている第二物品情報とが一定の関係があるか否かを判断する。判断部１２０５は、通常、ソフトウェアで実現されるが、ハードウェア（専用回路）で実現されても良い。また、判断部１２０５は、物品情報読取部１３０１が読み取った第一物品情報を取得する手段（情報を受信する手段など）も有する。なお、第一物品情報は、トレイの各領域に設置された物品に関する情報である。物品が薬品である場合は、第一物品情報は、例えば、薬品（薬剤）のロット番号や有効期限を有する。第一物品情報は、薬品を識別する薬品識別子を有しても良い。
【００１９】
判断結果出力部１２０６は、判断部１２０５における判断結果を出力する。出力とは、通常、ディスプレイへの表示であるが、スピーカへの音声出力、プリンタへの印字、外部の装置への送信等も含む。判断結果出力部１２０６は、ディスプレイなどの出力デバイスを含んでも、含まなくても良い。
【００２０】
第一物品情報記録部１２０７は、物品情報読取部１３０１が読み取ったトレイの各領域の第一物品情報を記録する。第一物品情報記録部１２０７は、例えば、情報を記録するハードディスクとそのドライバーソフトで実現される。但し、第一物品情報記録部１２０７は、ハードディスク等の記録媒体を含まなくても良い。
【００２１】
物品情報読取部１３０１は、各領域に設置された物品に関する情報である第一物品情報を読み込む。物品情報読取部１３０１は、例えば、ＲＦタグリーダーである。かかる場合、物品にＲＦタグが貼付されている。また、物品情報読取部１３０１は、例えば、バーコードリーダーである。かかる場合、物品にバーコードが貼付されている。また、物品情報読取部１３０１は、赤外線受光器である。かかる場合、物品は赤外線発光器を有する。その他、物品情報読取部１３０１は、第一物品情報を取得できれば何でも良い。
【００２２】
以下、物品設置システムを構成する情報処理装置１２の動作について、図３のフローチャートを参照して説明する。
【００２３】
（ステップＳ３０１）検索情報受付部１２０１は、検索情報を受け付けたか否かを判断する。検索情報を受け付ければステップＳ３０２に行き、検索情報を受け付けなければステップＳ３０１に戻る。
【００２４】
（ステップＳ３０２）検索情報送信部１２０２は、ステップＳ３０１で受け付けた検索情報をサーバ装置１１に送信する。
【００２５】
（ステップＳ３０３）物品情報取得部１２０３は、サーバ装置１１から１以上の第二物品情報を受信したか否かを判断する。第二物品情報を受信すればステップＳ３０４に行き、第二物品情報を受信しなければステップＳ３０３に戻る。なお、ここでの第二物品情報は、２以上の物品に関する情報を含む。
【００２６】
（ステップＳ３０４）物品情報表示部１２０４は、ステップＳ３０３で受信した２以上の第二物品情報を表示する。ここでの表示方法は、通常、複数の領域に区切られたディスプレイ上に、複数の物品に関する情報を表示する。なお、通常、ディスプレイは、矩形に区切られているが、円形などの他の形状により区切られていても良い。
【００２７】
（ステップＳ３０５）判断部１２０５は、サーバ装置１１から取得した第二物品情報の数（物品数）を取得する。
【００２８】
（ステップＳ３０６）カウンタｉに１を代入する。
【００２９】
（ステップＳ３０７）判断部１２０５は、トレイ１３から最近に置かれた物品の（ｉ番目の）第一物品情報を取得したか否かを判断する。第一物品情報を取得すればステップＳ３０８に行き、第一物品情報を取得しなければステップＳ３１４に行く。
【００３０】
（ステップＳ３０８）判断部１２０５は、置かれた物品に対応する（物品が設置されたトレイの領域に対応する）ｉ番目の第二物品情報を取得する。
【００３１】
（ステップＳ３０９）判断部１２０５は、ステップＳ３０７で取得した第一物品情報が一定の条件を満たすか否かを判断する。また、判断部１２０５は、ステップＳ３０７で取得した第一物品情報とステップＳ３０８で取得した第二物品情報が一定の関係があるか否かを判断する。第一物品情報が満たすべき一定の条件とは、例えば、有効期限が切れていないことである。かかる場合、判断部１２０５は、第一物品情報が有する有効期限と、情報処理装置１２が保持する時計（図示しない）を比較して、有効期限が切れていないか否かを判断する。また、第一物品情報と第二物品情報が満たすべき一定の関係は、各物品の識別子が一致することである。さらに具体的には、物品が薬品の場合に、第一物品情報が有する第一薬品識別子と第二物品情報が有する第二薬品識別子が一致することである。
【００３２】
（ステップＳ３１０）判断部１２０５は、ステップＳ３０９における判断結果が、エラーか否かを判断し、エラーでなければステップＳ３１１に行き、エラーであればステップＳ３１５に飛ぶ。
【００３３】
（ステップＳ３１１）判断結果出力部１２０６は、正常である旨の判断結果を出力する。
【００３４】
（ステップＳ３１２）第一物品情報記録部１２０７は、第一物品情報を記録する。
【００３５】
（ステップＳ３１３）カウンタｉをインクリメントする。ステップＳ３０７に戻る。
【００３６】
（ステップＳ３１４）判断部１２０５は、判断処理が終了したか否かを判断する。終了でなければステップＳ３０７に戻る。終了との判断のときは、処理を終了する。なお、判断処理が終了したか否かは、例えば、以下のように判断する。カウンタｉとステップＳ３０５で取得した物品数を比較して、ｉの方が大きければ判断処理は終了である。
【００３７】
（ステップＳ３１５）判断結果出力部１２０６は、エラーである旨の判断結果を出力する。
【００３８】
次に、物品設置システムを構成するサーバ装置１１の動作について、図４のフローチャートを参照して説明する。
【００３９】
（ステップＳ４０１）検索情報受信部１１０２は、情報処理装置１２から検索情報を受信したか否かを判断する。検索情報を受信すればステップＳ４０２に行き、検索情報を受信しなければステップＳ４０１に戻る。
【００４０】
（ステップＳ４０２）物品情報検索部１１０３は、ステップＳ４０１で受信した検索情報に基づいて、物品情報格納部１１０１から１以上の第二物品情報を取得する。
【００４１】
（ステップＳ４０３）物品情報送信部１１０４は、ステップＳ４０２で取得した２以上の第二物品情報を情報処理装置１２に送信する。
【００４２】
次に、物品設置システムを構成するトレイ１３の動作について説明する。トレイ１３は、各領域に物品が設置されたことを判断し、物品が設置された場合に、物品情報読取部１３０１は、当該物品に貼付されたバーコードやＲＦタグ等から第一物品情報を読み取る。そして、読み取られた第一物品情報は、情報処理装置１２で処理される。トレイ１３の各領域は、物品情報読取部１３０１を有する。また、トレイ１３の各領域は、物品が設置されたことは認識するセンサ（圧力センサや重量センサなど）を有することが好適である。
【００４３】
以下、物品設置システムの具体的な動作について説明する。今、物品情報格納部１１０１に格納されている第二物品情報を図５に示す。図５の表を物品情報管理表という。物品情報管理表が管理する情報は、薬品に関する情報である薬品情報である。物品情報管理表は、「ＩＤ」「薬品名」「量」「単位」「図柄」「形状」「備考」を有する薬品情報レコードを複数有する。「ＩＤ」は薬品情報レコードを識別する情報である。「薬品名」は薬品を識別する情報である。「量」は薬品がパッケージされている量である。つまり、「量」は、例えば、薬品が入る瓶の容量である。「単位」は、薬品の量が示す値の単位である。「単位」は、通常、ｍｌやｍｇやｇなどである。「図柄」は薬品の容器の静止画データである。なお、「図柄」は動画データでも構わない。「形状」は、薬品の容器の形状をあらわし、例えば、瓶、アンプル、バイアル、ボトルなどがある。「備考」は薬品を混注するときの注意点を示す情報である。
【００４４】
次に、物品設置システムの外観を図６に示す。図６における物品設置システムは、サーバ装置１１、情報処理装置１２、トレイ１３、およびバーコードリーダー１４を有する。本物品設置システムは、例えば、看護婦が病棟において使用する。看護婦に、ある手段で届けられた患者の注射箋１５が、同じく病棟に存在する。なお、注射とは、点滴による注射である。本物品設置システムは、間違いなく、特定の患者に点滴すべき薬品を混注するものである。トレイ１３には、薬品の瓶などに貼付されているタグを読み取るタグリーダーが、９つのすべての領域に設置されている。
【００４５】
物品設置システムのバーコードリーダー１４は、注射箋１５に記載されているバーコードを読み取る。注射箋１５は、患者を示す情報（図６における「特許一郎」）、混注する薬品の情報（図６における薬品Ａ，薬品Ｂなど）、混注する複数の薬品を示す情報であるバーコードなどが記載されている。今、図６に示すように、情報処理装置１２の画面上には、何も表示されていない。
【００４６】
次に、バーコードリーダー１４で注射箋１５に記載されているバーコードを読み取ったとする。情報処理装置１２は、バーコードの情報に基づいて、サーバ装置１１に検索にいく。次に、サーバ装置１１は、バーコードの情報を受信し、図５の物品情報管理表を検索する。次に、サーバ装置１１は、物品情報管理表から取り出した複数の第二物品情報を情報処理装置１２に送信する。情報処理装置１２は、複数の第二物品情報を受信し、分割されたウィンドウに当該第二物品情報を表示する。この複数の第二物品情報（薬品情報）が表示された情報処理装置１２とトレイ１３を図７に示す。図７によれば、注射箋１５が示す複数の薬品情報が画面上に表示されている。なお、画面上には、複数の薬品情報の下に、処方コメント等も表示される。
【００４７】
そして、トレイ１３は、複数の薬品情報の表示に対応して区切られている。つまり、図７において、複数の薬品情報が表示される画面上の領域に対応してトレイ１３が区切られている。図７の薬品を表示している領域は９のウィンドウ（処方コメントの表示領域は除く）に分割され、トレイ１３も９の領域に分割されている。また、情報処理装置１２の画面は、ほぼ平面の台（実際の薬品等が設置されている台）に対して、ほとんど垂直に置かれ、トレイ１３は、ほぼ平面の台に置かれている。
【００４８】
以上の状況において、例えば、看護婦が画面上の薬品情報の表示を見ながら、間違いなく、混注する薬品を選択して、適切なトレイの領域に設置する。適切なトレイの領域とは、画面上に表示されているウィンドウ領域に対応するトレイの領域である。例えば、適切なトレイの領域とは、図８に示すように、情報処理装置１２の画面上の領域に付された番号と同一の番号を有するトレイの領域である。
【００４９】
そして、看護婦が薬品をトレイの領域に設置すると、トレイのタグリーダー（物品情報読取部１３０１）は、薬品の瓶等に貼付されたタグを読み取る。次に、情報処理装置１２は、タグリーダーが読み取った薬品の有効期限を取得する。そして、情報処理装置１２が保持する時計と有効期限を比較して、有効期限が切れていないか否かを判断する。また、情報処理装置１２は、ディスプレイのあるウィンドウ領域に表示されている物品の第二物品情報が有する第二薬品識別子と、タグリーダーが読み取った第一薬品識別子が一致するか否かを判断する。
【００５０】
そして、情報処理装置１２は、有効期限が過ぎていないか、設置された薬品が正しい薬品であるかをディスプレイ上に表示する。図９が、情報処理装置１２における判断結果の表示例である。図９によれば、ウィンドウ領域の左上に「ＯＫ」があるものは、有効期限も切れておらず、トレイ１３に設置した薬品も適正なものであることを示す。ウィンドウ領域の左上に「ＯＫ」は検品チェックマークという。また、一方、ウィンドウ領域の左上に「ＮＧ」のあるものは、有効期限が切れているか、設置した薬品が不適正であるかのどちらかである。そして、「ＮＧ」のエラーマークが表示された場合は、ウィンドウの背景色が変わる等、視覚的に適正な領域と区別して表示する。さらに、「ＮＧ」の場合は、その理由を別のウィンドウに表示しても良い。図９によれば、「有効期限が切れているか」、または「設置した薬品が不適正であるか」が分かるようになっている。
【００５１】
次に、情報処理装置１２の第一物品情報記録部１２０７は、正常な薬品の第一物品情報を記録する。第一物品情報は、有効期限やロット番号を含むことが好ましい。特定のロット番号の薬品に何らかの問題があることが、後に判明した場合に、それを投与した患者を出力することが容易だからである。また、第一物品情報は、薬品ＩＤや薬品の容量等を含んでも良い。さらに、情報処理装置１２の第一物品情報記録部１２０７が記録を行う場合に、看護婦等のユーザの指示により行っても良いし、すべての薬品が設置（処理）されたことを
【００５２】
以上、本実施の形態によれば、情報処理装置から出力される情報が示す物品等を間違いなく選択できる。特に、病院において、複数の薬品を混注して患者に投与する場合に、間違いなく複数の薬品を混注できる。間違いなく薬品を混注して患者に投与することは、必須の病院の機能であり、人命に関わることであるので極めて重要である。
【００５３】
なお、本実施の形態において、情報処理装置において、薬品情報等の物品情報を取得するための情報である検索情報の入力を受け付ける検索情報受付部と、検索情報に基づいて物品情報を取得する物品情報取得部を有したが、かかる機能を果たす構成要素を別の装置で行っても良い。かかる場合、情報処理装置は、画面上の複数に区切られた領域のうちの１以上の領域に物品の情報である第二物品情報を表示する物品情報表示部と、物品情報読取部が読み取ったトレイの各領域の第一物品情報が一定の条件を満たすか否かを判断する判断部と、判断部における判断結果を出力する判断結果出力部を具備することとなる。
【００５４】
また、本実施の形態において、検索情報受付部はバーコードリーダーを例に説明したが、キーボード等の他の入力手段による入力を受け付けても良い。また、検索情報受付部は、外部装置から送信された検索情報を受信しても良い。かかることは、他の実施の形態においても同様である。
【００５５】
また、本実施の形態において、トレイは、情報処理装置に対応する形態で、単に近くに設置されていた。しかし、情報処理装置とトレイが機構的に接続されていても良い。つまり、機構的に接続されているとは、例えば、図１０のように情報処理装置のディスプレイとトレイが蝶番で接続されている場合がある。また、情報処理装置とトレイが機構的に接続されているとは、トレイが一部窪んでおり、当該窪み（図１１の１１０１）に情報処理装置１２が設置される、ということでも良い。かかることは、他の実施の形態においても同様である。
【００５６】
また、本実施の形態において、物品は薬品であり、物品情報は薬品情報であったが、物品を他の物品とし、物品情報は他の情報でも良い。かかることは、他の実施の形態においても同様である。
【００５７】
また、本実施の形態において、物品設置システムは、いわゆるサーバクライアントモデルにより実現されており、情報処理装置は、物品情報をサーバ装置から取得したが、物品設置システムは、スタンドアロンのシステムでも良い。つまり、物品設置システムはサーバ装置を有せず、情報処理装置が物品情報を保持していても良い。かかることは、他の実施の形態においても同様である。
【００５８】
また、本実施の形態において、判断部における判断がエラーである場合の出力例として、一定の例を示したが、その例に限られないのは言うまでもない。エラーである物品の情報が表示されたウィンドウを点滅させても良いし、音声出力によりエラーである旨を知らせても良い。かかることは、他の実施の形態においても同様である。
【００５９】
さらに、本実施の形態における各種の処理は、ソフトウェアによって実現し、ソフトウェアダウンロードにより提供しても良い。また、かかるソフトウェアをＣＤ−ＲＯＭ等の記録媒体に記録して配布しても良い。かかる実現手段に種々のものがあることは、他の実施の形態においても同様である。
【００６０】
（実施の形態２）
図１２は、本実施の形態における物品設置システムの概念図である。物品設置システムは、サーバ装置１１、情報処理装置１２２、トレイ１３、およびカメラ１２４を有する。本物品設置システムは、作業状況を示す映像を記録できる。物品設置システムは、映像を取得するためにカメラ１２４も含む。カメラ１２４は、トレイ１３の表面の画像を取得する。従った、カメラ１２４は、トレイ１３の表面の画像を取得できる位置に設置されている。
【００６１】
また、物品設置システムのブロック図を図１３に示す。情報処理装置１２２は、検索情報受付部１２０１、検索情報送信部１２０２、物品情報取得部１２０３、物品情報表示部１２０４、判断部１２０５、判断結果出力部１２０６、第一物品情報記録部１２０７、トレイ画像取得部１２２０１、トレイ画像表示部１２２０２、指示受付部１２２０３、画像記録部１２２０４を有する。
【００６２】
トレイ画像取得部１２２０１は、カメラ１２４が取得するトレイ１３の画像を取得する。情報処理装置１２２とカメラ１２４は、無線または有線で画像を送受信でき、トレイ画像取得部１２２０１は、カメラ１２４が撮影する画像をリアルタイムで取得する。情報処理装置１２２とカメラ１２４は、例えば、ＵＳＢで接続されている。トレイ画像取得部１２２０１は、通常、ＵＳＢ等のドライバーソフトと画像を取り込むソフトウェア等で実現される。
【００６３】
トレイ画像表示部１２２０２は、トレイ画像取得部１２２０１が取得した画像をディスプレイに表示する。トレイ画像表示部１２２０２、通常、ソフトウェアで実現されるが、ハードウェア（専用回路）で実現されても良い。トレイ画像表示部１２２０２は、ディスプレイ等の表示デバイスを含んでも良い。
【００６４】
指示受付部１２２０３は、画像を記録する指示を受け付ける。指示受付部１２２０３は、例えば、タッチパネルのドライバーソフトである。かかる場合、指示は、タッチパネルの適切な場所を押下することにより受け付けられる。ただし、指示は、リモコンやマウス等、他の手段によりなされても良い。
【００６５】
画像記録部１２２０４は、指示受付部１２２０３が指示を受け付けた場合に、トレイ画像表示部１２２０２が表示している画像を記録する。つまり、画像記録部１２２０４は、ビデオキャプチャーの機能である。画像記録部１２２０４は、画像が記録される記録媒体（ハードディスク等）を含んでも、含まなくても良い。
【００６６】
以下、物品設置システムを構成する情報処理装置１２２の動作について、図１４のフローチャートを参照して説明する。情報処理装置１２２は、図３のフローチャートの動作をすべて行う。つまり、第二物品情報を表示し、トレイに設置された物品が適正か否かを判断して、判断結果を表示するまでの動作は、図３のフローチャートで説明した。
【００６７】
図１４のフローチャートでは、すべての物品のトレイへの設置作業の終了後に、作業の結果を記録として残すために、カメラ画像を記録する処理について説明する。
【００６８】
（ステップＳ１４０１）トレイ画像取得部１２２０１は、カメラ１２４から送信されるトレイの画像を取得しているか否かを判断する。トレイの画像を取得していればステップＳ１４０２に行き、トレイの画像を取得していなければＳステップＳ１４０７に飛ぶ。
【００６９】
（ステップＳ１４０２）トレイ画像表示部１２２０２は、トレイ画像取得部１２２０１が取得した画像をディスプレイ上に表示する。
【００７０】
（ステップＳ１４０３）指示受付部１２２０３は、画像記録の指示を受け付けたか否かを判断する。画像記録の指示を受け付ければステップＳ１４０４に行き、画像記録の指示を受け付けなければステップＳ１４０１に戻る。
【００７１】
（ステップＳ１４０４）画像記録部１２２０４は、判断部１２０５の判断が、すべての物品が適正にトレイ１３の特定の領域に設置されたか否かを判断する。すべての物品が適正に設置されていればステップＳ１４０５に行き、すべての物品が適正に設置されていなければステップＳ１４０８に飛ぶ。すべての物品が適正に設置されている、ということは、作業が終了し、作業の状況（結果）を記録する時であることを示す。
【００７２】
（ステップＳ１４０５）画像記録部１２２０４は、トレイ画像取得部１２２０１が取得した画像を取得する。この画像は、ここでは静止画である。
【００７３】
（ステップＳ１４０６）画像記録部１２２０４は、ステップＳ１４０５で取得した画像を記録する。
【００７４】
（ステップＳ１４０７）カメラの電源が入っていない、等のエラーメッセージを出力する。
【００７５】
（ステップＳ１４０８）すべての作業が終了していない旨を示すエラーメッセージを出力する。
【００７６】
なお、図１４のフローチャートにおいて、すべての作業が終了した後でなければ、画像を記録しなかったが、ユーザからの指示があれば、常に画像を記録しても良い。
【００７７】
次に、物品設置システムの具体的な動作について図１２の概念図を用いて説明する。ここでの物品は、薬剤である。物品設置システムは、看護婦等が仕事で実施する薬剤の混注を支援する。そして、物品設置システムにおいて、常に、カメラが取り込んだトレイの画像は、ディスプレイのウィンドウ上に表示されている。また、情報処理装置１２２の画面は、タッチパネルで構成されている。
【００７８】
以上の状況で、看護婦が複数の物品をトレイへ設置し終えた、とする。次に、看護婦は、タッチパネルのキャプチャー画面を押下する。次に、情報処理装置は、すべての物品の設置作業が完了していることを認知し、カメラから送られている画像を記録する。この記録した画像の例を図１５に示す。
【００７９】
以上、本実施の形態によれば、作業を完了した時点での、作業状況が記録され、作業者は確実に作業を行うようになる。また、何らかの問題が発生した場合には、作業完了時の状況をチェックして、原因を把握でき、かつ次の手が打てる。
【００８０】
なお、本実施の形態において、静止画を記録したが、動画や音声等を記録しても良い。つまり、作業の状況を把握できるようにしておくことが重要であるので、記録する情報のデータタイプは問わない。
【００８１】
また、本実施の形態において、タッチパネルの押下により、画像の記録を指示したが、マウスの操作、リモコンの操作等により画像の記録を指示しても良い。
【００８２】
（実施の形態３）
図１６は、本発明における物品設置システムのブロック図である。物品設置システムは、サーバ装置１１、情報処理装置１６２、およびトレイ１３を有する。情報処理装置１２は、検索情報受付部１２０１、検索情報送信部１２０２、物品情報取得部１２０３、物品情報表示部１２０４、判断部１２０５、判断結果出力部１２０６、第一物品情報記録部１２０７、関係判断部１６２０１、関係情報表示部１６２０２を有する。
【００８３】
関係判断部１６２０１は、物品情報表示部１２０４が表示する２以上の第二物品情報が示す２以上の物品が、一定の関係にあるか否かを判断する。一定の関係とは、例えば、物品が薬品であり、２以上の薬品を混注する場合に配合変化が生じる関係である。配合変化とは、複数の薬品を配合した場合に、ペーハー値が大きく変化することを言い、かかる場合には、白濁するなどの現象が発生し、好ましくない。関係判断部１６２０１は、通常、ソフトウェアで実現されるが、ハードウェア（専用回路）で実現しても良い。
【００８４】
関係情報表示部１６２０２は、関係判断部１６２０１の判断が一定の関係にあるとの判断の場合に、一定の関係にある旨を表示する。「一定の関係にある旨を表示する」とは、例えば、配合変化が発生する旨を、新たに生成したウィンドウに表示することを言う。関係情報表示部１６２０２は、ディスプレイを含んでも、含まなくても良い。
【００８５】
以下、物品設置システムを構成する情報処理装置１６２の動作について、図１７のフローチャートを参照して説明する。情報処理装置１６２は、図３のフローチャートの動作をすべて行う。つまり、第二物品情報を表示し、トレイに設置された物品が適正か否かを判断して、判断結果を表示するまでの動作は、図３のフローチャートで説明した。
【００８６】
図１７のフローチャートでは、情報処理装置１６２が、２以上の第二物品情報が示す２以上の物品が、一定の関係にあるか否かを判断して、その結果が出力される処理に着目して説明する。
【００８７】
（ステップＳ１７０１）第二物品情報を格納するメモリーを初期化する。
【００８８】
（ステップＳ１７０２）関係判断部１６２０１は、新たに物品がトレイの区切られた領域に設置されたか否かを判断する。この判断は、例えば、トレイのタグリーダーによって読み込まれた情報が情報処理装置１６２に送信されたか否かによって判断できる。
【００８９】
（ステップＳ１７０３）関係判断部１６２０１は、物品が設置されたトレイの領域に対応する物品の第二物品情報の全部または一部（以下、本フローチャートにおいて第二物品情報という。）を取得する。なお、図３のフロ−チャートの動作によって、１以上の第二物品情報が既に情報処理装置１６２に取り込まれている、とする。また、ステップＳ１７０３において第二物品情報をすべて取得する必要はない。取得する情報は、一定の関係にあるか否かを判断するために必要な情報のみで良い。
【００９０】
（ステップＳ１７０４）格納されている第二物品情報を取得する。なお、最初のループにおいて、第二物品情報は格納されていないので、本ステップで取得する情報はない。
【００９１】
（ステップＳ１７０５）ステップＳ１７０３で取得した第二物品情報と、ステップＳ１７０４で取得した第二物品情報から、関係判断部１６２０１は、２以上の第二物品情報が示す２以上の物品が、一定の関係にあるか否かを判断する。一定の関係にあればステップＳ１７０６に行き、一定の関係になければステップＳ１７０７に飛ぶ。
【００９２】
（ステップＳ１７０６）関係情報表示部１６２０２は、関係判断部１６２０１の判断が一定の関係にあるとの判断の場合に、一定の関係にある旨を表示する。
【００９３】
（ステップＳ１７０７）関係判断部１６２０１は、ステップＳ１７０３で取得した第二物品情報をメモリーに格納する。これは、次に設置される物品の第二物品情報と比較するために一時的に格納する処理である。従って、ステップＳ１７０３で取得した第二物品情報は、次から次に、メモリーに追記される。
【００９４】
（ステップＳ１７０８）すべての物品の設置が終了したか否かを判断する。すべての物品の設置が終了すれば処理を終了し、すべての物品の設置が終了していなければステップＳ１７０２に戻る。
【００９５】
なお、図１７のフローチャートにおいて、関係判断部１６２０１は、２以上の第二物品情報に基づいて、２以上の物品が一定の関係にあるか否かを判断した。しかし、関係判断部１６２０１は、２以上の第一物品情報に基づいて、２以上の物品が一定の関係にあるか否かを判断しても良い。つまり、トレイに設置される２以上の物品が、一定の関係にあるか否かを判断できれば、いかなる情報に基づいて判断しても良い。
【００９６】
次に、物品設置システムの具体的な動作について図１８の概念図を用いて説明する。図１８の物品設置システムは、情報処理装置とトレイを有する。そして、ここでの物品は、薬品である。また、関係判断部が判断する一定の関係は、複数の薬品を混注した場合に、配合変化が起きる関係にあるか否かである。ここでは、薬品をトレイの決まった領域（情報処理装置のウィンドウに表示されている領域に合致するトレイの領域）に物品を設置する毎に、以前に設置した物品に対して新しく設置した物品を混注した場合に、配合変化が起きるか否かを判断する。
【００９７】
配合変化が発生するか否かの第一の判断方法は、例えば、以下のように行う。第一の判断方法は、注射薬配合変化予測データベースを用いる方法である。注射薬配合変化予測データベースは、複数の注射（薬品）を配合する場合に、配合の可否、配合できない場合の理由などを管理する表である。この薬配合変化予測データベースを図１９に示す。
【００９８】
今、情報処理装置１６２は、サーバ装置１１、または他の外部装置から図１９の薬配合変化予測データベースを取得して保持している、とする。そして、第一の物品が「アスパラＫ」という薬品である。つまり、１番目の第二物品情報が有する第二薬品識別子が「アスパラＫ」である。また、第二の物品が「ソルダクトン」という薬品である。つまり、２番目の第二物品情報が有する第二薬品識別子が「ソルダクトン」である。
【００９９】
かかる場合、関係判断部１６２０１は、図１９の薬配合変化予測データベースと、「アスパラＫ」、「ソルダクトン」という薬品識別子により、配合の可否が「否」で、理由（「備考」の値）が「白濁」という情報を取得する。そして、関係判断部は、２つの物品が一定の関係にある、と判断する。
【０１００】
次に、関係情報表示部１６２０２は、図１８に示すような「配合変化は起きます」といった警告文を出力する。なお、この警告文は、予め関係情報表示部１６２０２が保持している、とする。また、図１８の警告文の代わりに、「白濁」という配合不可の理由を示す情報を表示しても良い。つまり、関係情報表示部１６２０２は、２以上の物品が一定の関係にある旨を表示すれば、その表示する情報は問わない。
【０１０１】
次に、配合変化が発生するか否かの第二の判断方法について説明する。関係判断部１６２０１は、２以上の物品（薬品）のＰＨ値と量を取得する。ＰＨ値と量は、第二物品情報または第一物品情報に含まれる。
【０１０２】
次に、関係判断部１６２０１は、２以上の物品（薬品）のＰＨ値と量の情報等をパラメータとして、予め決められた算出式により、当該２以上の物品（薬品）を配合した場合のＰＨ値を算出する。そして、ＰＨ値の変化が一定値以上であれば、関係判断部１６２０１は、２以上の薬品が一定の関係にある、と判断する。そして、２以上の薬品は配合不可であるので、関係情報表示部１６２０２は、図１８のようなメッセージを出力する。
【０１０３】
以上、本実施の形態によれば、トレイに設置される２以上の物品が一定の関係にあれば、それを自動的に検出し、警告画面を出力する。これにより、適正な作業が遂行できる。特に、病院において、複数の薬品を混注して患者に投与する場合に、間違いなく、かつ適切に複数の薬品を混注できる。間違いなく、かつ適切に薬品を混注して患者に投与することは、必須の病院の機能であり、人命に関わることであるので極めて重要である。
【０１０４】
なお、本実施の形態において、トレイに設置する２以上の物品が一定の関係にあるか否かの判断方法は、上記で説明したアルゴリズムに限られないのは言うまでもない。
【０１０５】
また、本実施の形態において、薬配合変化予測データベースは、外部の装置から取得したが、光ディスク等に蓄積されていても良い。かかる場合、情報処理装置は、光ディスクの情報を読み出す機能を有する。
【０１０６】
さらに、本実施の形態において、物品をトレイに設置する毎に、関係判断部は、新しい物品情報を考慮した判断を行った。しかし、関係判断部は、一度に、すべての物品に関する情報に基づいて一定の関係にあるか否かを判断しても良い。具体的には、情報処理装置は、物品が薬品の場合に、以下のように処理しても良い。情報処理装置は、サーバ装置から一度に第二物品情報を取得する。その後、ただちに、情報処理装置は、２以上の第二物品情報の２以上の薬品識別子を注射薬配合変化予測データベースに当てはめて、配合不可の組み合わせがあるか否かを判断して、配合不可の組み合わせがあれば、図１８のような警告文を出力しても良い。そして、ユーザが警告文をクリック（タッチパネルならタッチ）した場合に、配合不可の組み合わせである２以上の物品を表示しても良い。かかる表示例は、図２０である。また、図１８の警告文を出力せずに、配合変化を発生する場合に、最初から図２０のような表示を行っても良い。
【０１０７】
（実施の形態４）
図２１は、本実施の形態における物品設置システムの概念図である。本実施の形態において、表示する物品は１０以上である。かかる場合、トレイは２以上必要である。本物品設置システムは、サーバ装置１１、情報処理装置２１２、トレイ１３１、トレイ１３２を有する。２つのトレイは、縦向きに設置されている。そして、表示画面を有する情報処理装置２１２は一つであるので、１０以上の物品を表示する場合の工夫が、本実施の形態におけるポイントである。
【０１０８】
物品設置システムのブロック図を図２２に示す。情報処理装置２１２は、検索情報受付部１２０１、検索情報送信部１２０２、物品情報取得部１２０３、物品情報表示部２１２０４、判断部１２０５、判断結果出力部１２０６、第一物品情報記録部１２０７を有する。
【０１０９】
物品情報表示部２１２０４は、物品情報取得部１２０３が受信した１０以上の物品情報（上記によれば第二物品情報）を表示する。物品情報表示部２１２０４は、画面上の複数に区切られた領域のうちの１以上の領域に物品の情報である物品情報を表示する。物品情報表示部２１２０４が１０以上の物品情報を表示する場合に、画面上の着目している領域のサイズが他の１以上の領域のサイズと異なることが特徴である。画面上の着目している領域の例や、どのように他の１以上の領域のサイズと異なるかについては、具体的に以下で説明する。物品情報表示部２１２０４が物品情報を表示する領域は、通常、矩形であるが、他の形状、例えば、円形などでも良い。物品情報表示部２１２０４は、ディスプレイおよびそのドライバーソフトや、表示制御ソフト等で実現され得る。また、物品情報表示部２１２０４は、通常、ウィンドウシステムを実現するソフトウェアを含む。
【０１１０】
以下、物品設置システムを構成する情報処理装置２１２の動作について、図２３のフローチャートを参照して説明する。なお、図２３のフローチャートにおいて、情報処理装置２１２がサーバ装置１１から物品情報を取得してからの処理を説明する。情報処理装置２１２がサーバ装置１１から物品情報を取得するまでの処理は、図３等のフローチャートを用いて説明したので、ここでの説明は省略する。
【０１１１】
（ステップＳ２３０１）物品情報表示部２１２０４は、物品情報取得部１２０３が取得した物品情報の数を取得する。
【０１１２】
（ステップＳ２３０２）物品情報表示部２１２０４は、物品情報の数が１０以上であるか否かを判断する。１０以上であればステップＳ２３０３に行き、９以下であればステップＳ２３１４に飛ぶ。
【０１１３】
（ステップＳ２３０３）物品情報表示部２１２０４は、物品情報を表示する段数を算出する。段数は、「（（（物品情報の数）／３）の整数部）＋１」である。つまり、物品情報の数が１１であれば、段数は４である。
【０１１４】
（ステップＳ２３０４）物品情報表示部２１２０４は、最初の９つの物品情報を表示する。また、１０個目以上の物品情報が存在することを視覚的に示す。この表示は、実施の形態１等で述べた物品情報の表示とほぼ同様である。
【０１１５】
（ステップＳ２３０５）カウンタｉに１を代入する。
【０１１６】
（ステップＳ２３０６）判断部１２０５は、ｉ番目の物品が処理されたか否かを判断する。ｉ番目の物品が処理さされればステップＳ２３０７に行き、ｉ番目の物品が処理されなければステップＳ２３０６に戻る。処理とは、例えば、物品がトレイの適切な領域に設置されたか否かを判断すること（第一物品情報と第二物品情報が条件に合致するか否かを判断すること）である。
【０１１７】
（ステップＳ２３０７）判断結果出力部１２０６は、ステップＳ２３０６における処理結果を表示する。処理結果の表示については、上述した実施の形態１等において述べた。
【０１１８】
（ステップＳ２３０８）ｉが３で割り切れる数であるか否かを判断する。つまり、表示されている物品情報のある行のすべての（３つの）物品情報が処理されたか否かを判断する。ｉが３で割り切れればステップＳ２３０９に行き、３で割り切れなければステップＳ２３１６に飛ぶ。
【０１１９】
（ステップＳ２３０９）物品情報表示部２１２０４は、表示すべき物品情報に、次の行の物品情報があるか否かを判断する。次の行があればステップＳ２３１０に行き、次の行がなければステップＳ２３１６に飛ぶ。
【０１２０】
（ステップＳ２３１０）物品情報表示部２１２０４は、処理した行を詰めて表示する。行を詰めて表示するとは、例えば、処理した行の３つの物品情報を縮小して表示することである。
【０１２１】
（ステップＳ２３１１）物品情報表示部２１２０４は、次の行として表示する３物品以内の物品情報を取得する。次の行として表示する物品は、原則、３物品であるが、最終行の場合は、１から３物品である。
【０１２２】
（ステップＳ２３１２）物品情報表示部２１２０４は、ステップＳ２３１１で取得した物品情報を次の行に表示する。次の行は、ウィンドウ制御して表示する。ウィンドウ表示の技術は、公知技術であるので、詳細な処理の説明は省略する。
【０１２３】
（ステップＳ２３１３）カウンタｉを１インクリメントする。ステップＳ２３０６に戻る。
【０１２４】
（ステップＳ２３１４）すべての物品情報を９のウィンドウ領域の中に表示する。この処理は、実施の形態１等の物品情報の表示と同様である。
【０１２５】
（ステップＳ２３１５）実施の形態１から３で説明したような物品設置に関する通常の処理を行う。終了する。
【０１２６】
（ステップＳ２３１６）すべての物品情報の処理が終了したか否かを判断する。すべての物品情報の処理が終了してれば処理を終了し、すべての物品情報の処理が終了していなければステップＳ２３１７に行く。すべての物品情報の処理が終了したか否かは、カウンタｉと、ステップＳ２３０１で取得した物品情報の数により判断する。
【０１２７】
（ステップＳ２３１７）カウンタｉを１インクリメントする。ステップＳ２３０６に戻る。
【０１２８】
次に、物品設置システムの具体的な動作について説明する。今、物品は薬品である。本実施の形態は、情報処理装置の物品情報の表示方法に特徴があるので、その表示方法に絞って説明する。今、情報処理装置が取得した物品情報が１３であった、とする。かかる場合の第一の例を説明する。
【０１２９】
図２４は、物品情報が１０以上ある場合の物品情報の表示例を示す図である。ここでは、図２４に示すように２つのトレイが設置される。図２４によれば、９つの薬品情報が３×３のマトリクスで表示されており、４行目（最下位の行）に、まだ下に物品情報が存在することを示すウィンドウ枠が表示される。そして、最上位の行から薬品がトレイに設置されるべく、情報処理装置のディスプレイ上の最上位の行にフォーカスがかかっている。
【０１３０】
今、ユーザは、最上位の行を見ながら、トレイの対応する領域に薬品を設置していく。そして、実施の形態１等で示したように、表示されている物品情報と設置された薬品が合致するか否かの判断結果が表示される。
【０１３１】
次に、第二の例について説明する。第二の例は、フォーカスされている行が他の行の表示に比べて大きく表示される例であり、この例を図２５に示す。つまり、この例は、情報処理装置の画面上の着目している領域のサイズが他の１以上の領域のサイズと異なる例である。
【０１３２】
図２５によれば、１行目の物品の設置、物品情報が適正か否か等の判断処理が終了し、２行目が着目されている状態である。なお、１行目の物品の設置は適正に行われたことを示す丸印が１行目の３つのウィンドウ領域に表示されている。
【０１３３】
次に、第三の例について説明する。第三の例は２つのトレイに設置されるべき物品の物品情報をすべて一度にディスプレイに表示する例であり、図２６に示す。図２６によれば、２つのトレイに対応するウィンドウ領域が明瞭に示されている。また、着目されている行の表示が大きくなっている。
【０１３４】
以上、本実施の形態によれば、情報処理装置から出力される情報が示す物品が１０以上と多くなっても、ディスプレイにおける表示の工夫により、物品を間違いなく選択できる。特に、病院において、複数の薬品を混注して患者に投与する場合に、間違いなく複数の薬品を混注できる。間違いなく薬品を混注して患者に投与することは、必須の病院の機能であり、人命に関わることであるので極めて重要である。
【０１３５】
なお、本実施の形態において、図２１等に示すように、複数のトレイは縦に設置されたが、図２７のように横に設置されても良い。かかる場合、情報処理装置における物品情報の表示は、図２７に示すようにどのトレイに設置されるべき物品の物品情報の表示であるかが明瞭であれば、物品情報の表示の仕方は問わない。例えば、図２８に示すように、左側のトレイの処理が終了すれば、左側のトレイに対応するディスプレイの表示全体を縮小しても良い。
【０１３６】
さらに、本実施の形態において、複数のトレイは分離していたが、機構的に接続されても良い。機構的な接続は、蝶番や構造的なかみ合わせ等、問わない。
【０１３７】
【発明の効果】
本発明によれば、例えば、病棟において複数の薬品を混注する場合に、間違いなく薬品を混注できる。
【図面の簡単な説明】
【図１】実施の形態１における物品設置システムの概念図
【図２】実施の形態１における物品設置システムのブロック図
【図３】実施の形態１における情報処理装置の動作を説明するフローチャート
【図４】実施の形態１におけるサーバ装置の動作を説明するフローチャート
【図５】実施の形態１における物品情報管理表を示す図
【図６】実施の形態１における物品設置システムの外観を示す図
【図７】実施の形態１における情報処理装置の表示例を示す図
【図８】実施の形態１における情報処理装置とトレイの関係を示す図
【図９】実施の形態１における情報処理装置の表示例を示す図
【図１０】実施の形態１における情報処理装置とトレイを示す図
【図１１】実施の形態１における情報処理装置の表示例を示す図
【図１２】実施の形態２における物品設置システムの概念図
【図１３】実施の形態２における物品設置システムのブロック図
【図１４】実施の形態２における情報処理装置の動作を説明するフローチャート
【図１５】実施の形態２における記録した画像の例を示す図
【図１６】実施の形態３における物品設置システムのブロック図
【図１７】実施の形態３における情報処理装置の動作を説明するフローチャート
【図１８】実施の形態３における物品設置システムの概念図
【図１９】実施の形態３における薬配合変化予測データベースを示す図
【図２０】実施の形態３における情報処理装置の表示例を示す図
【図２１】実施の形態４における物品設置システムの概念図
【図２２】実施の形態４における物品設置システムのブロック図
【図２３】実施の形態４における情報処理装置の動作を説明するフローチャート
【図２４】実施の形態４における情報処理装置の表示例を示す図
【図２５】実施の形態４における情報処理装置の表示例を示す図
【図２６】実施の形態４における情報処理装置の表示例を示す図
【図２７】実施の形態４における物品設置システムの構成例を示す図
【図２８】実施の形態４における情報処理装置の表示例を示す図
【符号の説明】
１１　サーバ装置
１２、１６２，２１２　情報処理装置
１３、１３１、１３２　トレイ
１４　バーコードリーダー
１５　注射箋
１２２　情報処理装置
１２４　カメラ
１１０１　物品情報格納部
１１０２　検索情報受信部
１１０３　物品情報検索部
１１０４　物品情報送信部
１２０１　検索情報受付部
１２０２　検索情報送信部
１２０３　物品情報取得部
１２０４、２１２０４　物品情報表示部
１２０５　判断部
１２０６　判断結果出力部
１２０７　第一物品情報記録部
１３０１　物品情報読取部
１２２０１　トレイ画像取得部
１２２０２　トレイ画像表示部
１２２０３　指示受付部
１２２０４　画像記録部
１６２０１　関係判断部
１６２０２　関係情報表示部
【図１】
2004070803.tif 000003
【図２】
2004070803.tif 000004
【図３】
2004070803.tif 000005
【図４】
2004070803.tif 000006
【図５】
2004070803.tif 000007
【図６】
2004070803.tif 000008
【図７】
2004070803.tif 000009
【図８】
2004070803.tif 000010
【図９】
2004070803.tif 000011
【図１０】
2004070803.tif 000012
【図１１】
2004070803.tif 000013
【図１２】
2004070803.tif 000014
【図１３】
2004070803.tif 000015
【図１４】
2004070803.tif 000016
【図１５】
2004070803.tif 000017
【図１６】
2004070803.tif 000018
【図１７】
2004070803.tif 000019
【図１８】
2004070803.tif 000020
【図１９】
2004070803.tif 000021
【図２０】
2004070803.tif 000022
【図２１】
2004070803.tif 000023
【図２２】
2004070803.tif 000024
【図２３】
2004070803.tif 000025
【図２４】
2004070803.tif 000026
【図２５】
2004070803.tif 000027
【図２６】
2004070803.tif 000028
【図２７】
2004070803.tif 000029
【図２８】
2004070803.tif 000030